(57)【要約】【課題】帽子本体後部中央に切除部を設け、切除部に伸縮性の弾性織布のサイズ調節用ベルトとサイズ調節具を設け、サイズ調節可能にしたものがある。本発明は、後頭部の下部にフィットする構成にて運動時や風によって脱げ落ちることが防止でき、外部の音が遮られず、イヤホーン等の装着もし易く、後頭部の保護範囲も広く、後頭部の日よけ効果も向上する帽子を提供するものである。【解決手段】帽子本体の下部開口を巡る周縁部のうち、左右両側周縁部の後方にはツバに対向して帽子本体から連続して左右両側周縁部よりも下方へ向けて延びた後面側周縁部を形成し、後面側周縁部の帽子の後中央部に位置する部分には、左右両端部が固定された伸縮自在なバンドと、このバンドを伸縮自在な状態に包み込む包装部とを略水平方向に形成し、左右両側周縁部の後部とバンド固定部とは左右両側周縁部から斜め下方に向かう傾斜周縁部で結ばれたこと。【選択図】      図１
2005029911.tif 000002
【特許請求の範囲】
【請求項１】
頭に被る帽子本体の下部開口を巡る周縁部のうち、左右両側周縁部の前方の前面側周縁部には前方へ向けて延びたツバを備え、前記左右両側周縁部の後方には前記ツバに対向して前記帽子本体から連続して前記左右両側周縁部よりも下方へ向けて延びた後面側周縁部を形成し、前記後面側周縁部の帽子の後中央部に位置する部分には、左右両端部が固定された伸縮自在なバンドと、このバンドを伸縮自在な状態に包み込む包装部とが略水平方向に設けられ、前記左右両側周縁部の後部と前記後面側周縁部の左右両側とは前記左右両側周縁部から斜め下方に向かう傾斜周縁部で結ばれたことを特徴とする帽子。
【請求項２】
頭に被る帽子本体の下部開口を巡る周縁部のうち、左右両側周縁部の前方の前面側周縁部には前方へ向けて延びたツバを備え、前記左右両側周縁部の後方には前記ツバに対向して前記帽子本体から連続して前記左右両側周縁部よりも下方へ向けて延びた後面側周縁部を形成し、前記後面側周縁部の帽子の後中央部に位置する部分には、左右両端部が固定された伸縮自在なバンドと、このバンドを伸縮自在な状態に包み込む包装部とが略水平方向に設けられ、前記左右両側周縁部の後部と前記後面側周縁部の左右両側とは前記左右両側周縁部から斜め下方に向かう傾斜周縁部で結ばれ、前記前面側周縁部の中心と前記ツバの中心との交点から見た前記帽子本体の後面側の最も後方に突出した部分よりも前記バンドを包む包装部は前方に寄って窄まった状態に位置し、前記後面側の最も後方に突出した部分から前記包装部に至る範囲は、その上方部分と連続した流線形状の丸みを呈していることを特徴とする帽子。
【請求項３】
前記帽子本体は通気性部材で構成され、前記包装部は、前記帽子本体の外被部材の一連によって構成され、前記包装部は、その左右両側の周縁部と切り込みによって分離された状態で前記バンドの左右固定部間の全体を下から包むように前記帽子本体の外被部材が外側から内側へ折り返しにて形成されたことを特徴とする請求項１または２に記載の帽子。
【発明の詳細な説明】
【０００１】
【発明の属する技術分野】
本発明は、前側にツバを備えた帽子に関する。
【０００２】
【従来の技術】
前側にツバを備え、フィット感が増し、運動時や風により脱げ落ちることのないサイズ調節可能な帽子がある（例えば、特許文献１）。これは、帽子本体後部中央に切除部を設け、この切除部にサイズ調節用ベルトとサイズ調節具を設け、サイズ調節用ベルトを伸縮性の弾性織布で形成して、サイズ調節可能にしたものである。
【０００３】
【特許文献１】
特開２００３−３３１６号公報（第３〜５頁、図１〜３図）
【０００４】
【発明が解決しようとする課題】
特許文献１の帽子は、被った状態で好みの状態にサイズ調節し得るので、フリーサイズキャップに比して快適感と安定感が向上するとある。本発明は、特許文献１のものとは異なる手段でもって、後頭部の下部にフィットする構成でもって運動時や風によって脱げ落ちることが防止でき、外部の音が遮られず、また音楽等を聴くためのイヤホーンやヘッドホーンの装着もし易く、更に、後頭部の保護範囲も広く、後頭部の日よけ効果も向上する帽子を提供するものである。
【０００５】
【課題を解決するための手段】
本発明の帽子は、頭に被る帽子本体の下部開口を巡る周縁部のうち、左右両側周縁部の前方の前面側周縁部には前方へ向けて延びたツバを備え、前記左右両側周縁部の後方には前記ツバに対向して前記帽子本体から連続して前記左右両側周縁部よりも下方へ向けて延びた後面側周縁部を形成し、前記後面側周縁部の帽子の後中央部に位置する部分には、左右両端部が固定された伸縮自在なバンドと、このバンドを伸縮自在な状態に包み込む包装部とが略水平方向に設けられ、前記左右両側周縁部の後部と前記後面側周縁部の左右両側とは前記左右両側周縁部から斜め下方に向かう傾斜周縁部で結ばれたことを特徴とする。
【０００６】
このため、帽子を被った状態で後面側周縁部が後頭部の下部にまで達し、しかもこの部分でバンドの伸縮によって後頭部の下部にフィットするため、運動時や風によって脱げ落ちることが防止できる。特に、左右両側周縁部の後部と後面側周縁部の左右両側とは、左右両側周縁部から斜め下方に向かう傾斜周縁部で結ばれているため、被った人の耳は帽子で隠されない。このため、耳に達する外部の音を帽子が遮らないため、自動二輪車や自転車に乗車する人が被る帽子としても好ましいものとなる。また、耳が帽子で塞がれないので、音楽等を聴くためのイヤホーンやヘッドホーンの装着もし易くなる。更に、後面側周縁部が後頭部の下部にまで達することによって、後頭部の保護範囲も広くなり、安全性が向上するとともに、後頭部の日よけ効果も向上する。
【０００７】
また本発明の帽子は、頭に被る帽子本体の下部開口を巡る周縁部のうち、左右両側周縁部の前方の前面側周縁部には前方へ向けて延びたツバを備え、前記左右両側周縁部の後方には前記ツバに対向して前記帽子本体から連続して前記左右両側周縁部よりも下方へ向けて延びた後面側周縁部を形成し、前記後面側周縁部の帽子の後中央部に位置する部分には、左右両端部が固定された伸縮自在なバンドと、このバンドを伸縮自在な状態に包み込む包装部とが略水平方向に設けられ、前記左右両側周縁部の後部と前記後面側周縁部の左右両側とは前記左右両側周縁部から斜め下方に向かう傾斜周縁部で結ばれ、前記前面側周縁部の中心と前記ツバの中心との交点から見た前記帽子本体の後面側の最も後方に突出した部分よりも、前記バンドを包む包装部は前方に寄って窄まった状態に位置し、前記後面側の最も後方に突出した部分から前記包装部に至る範囲は、その上方部分と連続した流線形状の丸みを呈していることを特徴とする。
【０００８】
このように、バンドを包む包装部はその上方部分よりも前方に寄って窄まった状態に位置しているため、帽子を被った状態でバンドの収縮力によって包装部がその後頭部の下部に密着し、帽子が運動時や風によって脱げ落ちることがより一層防止できる。また、左右両側周縁部の後部と後面側周縁部の左右両側とは、左右両側周縁部から斜め下方に向かう傾斜周縁部で結ばれているため、被った人の耳は帽子で隠されない。このため、耳に達する外部の音を帽子が遮らないので、自動二輪車や自転車に乗車する人が被る帽子としても好ましいものとなる。また耳が帽子で塞がれないので、音楽等を聴くためのイヤホーンやヘッドホーンの装着もし易くなる。更に、後面側周縁部が後頭部の下部にまで達することによって後頭部の保護範囲も広くなり、安全性が向上するとともに、後頭部の日よけ効果も向上する。
【０００９】
また本発明の帽子は、前記帽子本体は通気性部材で構成され、前記包装部は、前記帽子本体の外被部材の一連によって構成され、前記包装部は、その左右両側の周縁部と切り込みによって分離された状態で前記バンドの左右固定部間の全体を下から包むように前記帽子本体の外被部材が外側から内側へ折り返しにて形成されたことを特徴とする。
【００１０】
これによって、上記効果に加えて、包装部を含む後面側周縁部が帽子本体の外被部材と一連に形成されることにより、複数の部材を組み合わせる場合に比して構成が簡素化されると共に、統一された外観デザインの帽子となる。また、バンドは左右固定部間の全体が下から包み込まれるため、バンドの伸縮機能を保持しつつバンドを覆う部分を見栄えのよい外観デザインとすることができる。
【００１１】
【発明の実施の形態】
次に、本願発明の実施の形態について説明する。各図は本発明の実施形態を示す。図１は本発明に係る帽子の側面図、図２は本発明に係る帽子の斜め下方からに見た斜視図、図３は本発明に係る帽子の斜め後側から見た図、図４は本発明に係る帽子のバンドを包み込む包装部の端部の説明図、図５は本発明に係る帽子のバンドを包み込む包装部の端部の切り込み部が開いた状態の説明図、図６は図２のＡ−Ａ断面図である。
【００１２】
以下、本発明の実施形態を図に基づいて説明する。本発明の帽子１は、頭に被る帽子本体２の下部開口を巡る周縁部３のうち、左右両側周縁部４の前方の前面側周縁部５には斜め下前方へ向けて延びたツバ６を備え、左右両側周縁部４の後方にはツバ６に対向して帽子本体２から連続して左右両側周縁部４よりも下方へ向けて延びた後面側周縁部７を形成し、後面側周縁部７の帽子１の後中央部に位置する部分には、左右両端部が後面側周縁部７に固定部９で固定された伸縮自在なバンド８と、左右の固定部９、９間においてバンド８を伸縮自在な状態に包み込む包装部１０とを略水平方向に設けており、左右両側周縁部４の後部と後面側周縁部７のバンド固定部９とは左右両側周縁部４から斜め下方に向かう傾斜周縁部１１で結ばれた構成である。
【００１３】
帽子本体２は通気性部材で構成され、メッシュ材や通気性織布などによって形成され、柔軟性と通気性によって被る人の不快感を軽減している。この帽子本体２は、一重又は二重構造をなすもののいずれでもよいが、その外被部材２Ａは、一重の場合はそのものであり、二重構造の場合は外側部材である。
【００１４】
丸みを持った帽子本体２を形成するための構成や外観のデザイン性等を考慮して、帽子本体２の外被部材２Ａは、帽子本体２の頂上２Ｂに向けて収斂するような略三角形状の構成部材２０Ａの複数が相互に接合部１５で接合されるように、構成部材２０Ａ相互を接合部１５で縫製することにより、丸みを持った帽子本体２を形成している。
【００１５】
包装部１０は、外被部材２Ａの一連によって形成されるように、バンド８の左右固定部９、９間の略全体を下から包むように帽子本体２の外被部材２Ａが外側から内側へ折り返した折り返しにて形成され、外被部材２Ａが内側へ折り返した状態でその上端部を後面側周縁部７の上部に縫製部１２にて縫い合わせている。具体的には、包装部１０が後面側周縁部７の一部分に形成されるように、後面側周縁部７の後中央部の左右位置には切り込み１４、１４が形成され、この左右の切り込み１４、１４間が包装部１０を構成している。この包装部１０の左右両端部１０Ａ、１０Ａに近接又は当接する左右両側の周縁部３の端部３Ａ、３Ａ部分には、縫製等の手段によってバンド８の左右両側が固定部９、９で固定されている。この包装部１０は、バンド８の左右両側の固定部９、９間においてバンド８の略全体をバンド８の伸縮を許容する状態に下から包むように、帽子本体２の後側に位置する外被部材２Ａの構成部材２０Ａの下部が外側から内側へ折り返しにて形成されている。即ち、バンド８の左右の固定部９、９間において、包装部１０の左右両側には、後面側周縁部７の左右部に切り込み１４が形成されており、この切り込み１４によって、包装部１０は上部が帽子本体２の外被部材２Ａである構成部材２０Ａと連続しているが、その左右両側の周縁部３とは分離状態である。
【００１６】
このため、帽子１を被る人の頭の大きさに応じて帽子本体２の下部開口周縁部３が伸び縮み可能である。また、帽子１が被られていない状態、即ち、バンド８が収縮した状態では、包装部１０の左右両端部１０Ａとその左右両側の周縁部３の端部３Ａとが近接または当接して、切り込み１４からバンド８が見え難くしている。帽子１が被られた状態、即ち、バンド８が伸張した状態においても切り込み１４からバンド８を見え難くするためには、バンド８の収縮状態において、包装部１０の左右両端部１０Ａが周縁部３の端部３Ａの外側に若干重なるように形成することにより、包装部１０の左右両端部によって切り込み１４を覆うことができる。１３はスウェットベルトであり、包装部１０を除き、帽子本体２の下部開口を巡る周縁部３の内側を巡るように周縁部３の内側に下端部を縫い合わせにて取り付けられている。１６は帽子本体２の正面に設けたマーク部である。
【００１７】
上記のように本発明の帽子１は、帽子本体２の下部開口を巡る周縁部３のうちの後面側周縁部７が、左右両側周縁部４よりも下方へ深く延びている。本発明のように下方に延びた後面側周縁部７がない帽子では、図１及び図３にラインＰで示すように、周縁部３は左右両側周縁部４から後部に至るまで略同じレベルラインでもって帽子本体２の下部開口を巡る。これに対して本発明では、後面側周縁部７の形成によって、被った人の後頭部を後面側周縁部７が深く覆う。このため帽子を被った状態では、後面側周縁部７が後頭部の下部にまで達し、しかもこの部分がバンド８の伸縮によって後頭部の下部にフィットするため、運動時や風によって脱げ落ちることが防止できる。更に、後面側周縁部７が後頭部の下部にまで達することによって、後頭部の保護範囲も広くなり、安全性が向上するとともに、後頭部の日よけ効果も向上する。
【００１８】
また、本発明の帽子１は、帽子本体２の下部開口を巡る周縁部３のうちの後面側周縁部７が、左右両側周縁部４よりも下方へ深く延びているが、帽子１が被られていない状態、即ちバンド８の収縮状態において、前面側周縁部５から左右両側周縁部４を通って帽子本体２の後面側に至る帽子本体２を巡る周回部分のうち、最大周回長さとなる帽子本体２の後面側部分Ｑよりも帽子本体２の後面側周縁部７が帽子本体２の内側寄りに位置している。換言すれば、帽子本体２の前面側周縁部５の中心とツバ６の中心との交点Ｒから見た帽子本体２の後面側の最も後方に突出した部分Ｑよりも、バンド８を包む包装部１０の下端は前方に寄って窄まった状態に位置し、後面側の最も後方に突出した部分Ｑから包装部１０に至る範囲は、その上方部分と連続した流線形状の丸みを呈している。このため、帽子１が人の頭部に被られた状態において、バンド８の収縮力によって包装部１０がその後頭部の下部に密着するため、帽子１が運動時や風によって脱げ落ちることから防止できる効果が一層良好となる。
【００１９】
また、上記のようにバンド８が伸張した状態においても、切り込み１４からバンド８が若干見えても、切り込み１４の隙間から入る日差しをバンド８が遮ると共に、包装部１０とその左右両側の周縁部３とでの外側に若干重なるように形成することにより、包装部１０の左右両端部によって後頭部を広く覆うため、日よけ効果は更に向上する。
【００２０】
また、左右両側周縁部４の後部と後面側周縁部７の左右端部とは、左右両側周縁部４から斜め下方に向かう傾斜周縁部１１で結ばれているため、左右両側周縁部４が被った人の耳を塞がない。このため、耳に達する外部の音を帽子１が遮らないため、自動二輪車や自転車に乗車する人が被る帽子１としても好ましいものとなる。また、耳が帽子１で塞がれないので、音楽等を聴くためのイヤホーンやヘッドホーンの装着もし易くなる。
【００２１】
また本発明の帽子１は、上記のように、包装部１０を含む後面側周縁部７が帽子本体２の外被部材２Ａと一連に形成されることにより、複数の部材を組み合わせてこれらの部分を形成する場合に比して、構成が簡素化されると共に、統一された外観デザインの帽子となる。また、バンド８は左右固定部９、９間の全体が下から包み込まれるため、バンド８の伸縮機能を保持しつつバンド８を覆う部分を見栄えのよい外観デザインとすることができる。このため、ファッション性のある帽子１を提供できる。
【００２２】
本発明は、上記実施形態に限定されず、本発明の技術的範囲を逸脱しないかぎり種々の変更が考えられ、それに係る種々の実施形態を包含するものである。
【００２３】
【発明の効果】
本発明では、帽子を被った状態で後面側周縁部が後頭部の下部にまで達し、しかもこの部分でバンドの伸縮によって後頭部の下部にフィットするため、運動時や風によって脱げ落ちることが防止できる。特に、左右両側周縁部の後部と後面側周縁部とは、左右両側周縁部から斜め下方に向かう傾斜周縁部で結ばれているため、被った人の耳は帽子で隠されない。このため、耳に達する外部の音を帽子が遮らないため、自動二輪車や自転車に乗車する人が被る帽子としても好ましいものとなる。また、耳が帽子で塞がれないので、音楽等を聴くためのイヤホーンやヘッドホーンの装着もし易くなる。更に、後面側周縁部が後頭部の下部にまで達することによって、後頭部の保護範囲も広くなり、安全性が向上すると共に、後頭部の日よけ効果も向上する。
【００２４】
第２請求項の発明では、バンドを包む包装部はその上方部分よりも前方に寄って窄まった状態に位置しているため、帽子を被った状態でバンドの収縮力によって包装部がその後頭部の下部に密着するため、帽子が運動時や風によって脱げ落ちることがより一層防止できる。また、左右両側周縁部の後部と後面側周縁部の左右両側とは、左右両側周縁部から斜め下方に向かう傾斜周縁部で結ばれているため、被った人の耳は帽子で隠されない。このため、耳に達する外部の音を帽子が遮らないため、自動二輪車や自転車に乗車する人が被る帽子としても好ましいものとなる。また、耳が帽子で塞がれないので、音楽等を聴くためのイヤホーンやヘッドホーンの装着もし易くなる。更に、後面側周縁部が後頭部の下部にまで達することによって、後頭部の保護範囲も広くなり、安全性が向上するとともに後頭部の日よけ効果も向上する。
【００２５】
第３請求項の発明では、上記の効果に加えて、包装部を含む後面側周縁部が帽子本体の外被部材と一連に形成されることにより、複数の部材を組み合わせる場合に比して、構成が簡素化されると共に統一された外観デザインの帽子となる。また、バンドは左右固定部間の全体が下から包み込まれるため、バンドの伸縮機能を保持しつつバンドを覆う部分を見栄えのよい外観デザインとすることができる。
【図面の簡単な説明】
【図１】本発明に係る帽子の側面図である。
【図２】本発明に係る帽子の斜め下方からに見た斜視図である。
【図３】本発明に係る帽子の斜め後側から見た図である。
【図４】本発明に係る帽子のバンドを包み込む包装部の端部の説明図である。
【図５】本発明に係る帽子のバンドを包み込む包装部の端部の切り込み部が開いた状態の説明図である。
【図６】図２のＡ−Ａ断面図である。
【符号の説明】
１・・・帽子
２・・・帽子本体
３・・・周縁部
４・・・左右両側周縁部
５・・・前面側周縁部
６・・・ツバ
７・・・後面側周縁部
８・・・バンド
９・・・バンドの左右固定部
１０・・・包装部
１１・・・傾斜周縁部
１２・・・包装部の縫製部
１４・・・切り込み
Ｑ・・・・帽子本体の後面側の最も後方に突出した部分
Ｒ・・・・帽子本体の前面側周縁部の中心とツバの中心との交点
【図１】
2005029911.tif 000003
【図２】
2005029911.tif 000004
【図３】
2005029911.tif 000005
【図４】
2005029911.tif 000006
【図５】
2005029911.tif 000007
【図６】
2005029911.tif 000008